(57)【特許請求の範囲】
【請求項１】
一対の端壁から夫々連設された一対の上端フラップ及び一対の側壁から夫々連設された一対の上側フラップを有し、上記上側フラップの両側端部に上記上端フラップの外側の上外側角部が該上側フラップの表面側から差し込まれて係合する差込孔を形成し、上記上端フラップの上外側角部を上記差込孔に差し込んで上記上端フラップの両側端部及び上記上側フラップの両側端部を重ねた状態で、上記上端フラップの端縁及び上記上側フラップの端縁によって天面に開口を形成してなる段ボール箱において、
上記少なくとも何れか一方の上側フラップに、該上側フラップの上記開口を構成する端縁から切欠き形成されるとともに、少なくとも一方の上端フラップの端縁に沿う切欠き面を有し、上記上端フラップの端縁を手で支承したとき手の一部が挿入可能な切欠き部を設けたことを特徴とする段ボール箱。
【請求項２】
上記切欠き部を、上記一対の上端フラップの端縁に夫々対応して設けたことを特徴とする請求項１記載の段ボール箱。
【請求項３】
上記切欠き部を、上記開口の対角位置に設けたことを特徴とする請求項２記載の段ボール箱。
【請求項４】
上記差込孔の一部を構成するとともに上記上側フラップの上記側壁に対する上側連設線上に起立し上記上端フラップの上記上外側角部の外側縁に対峙する起立部を設けたことを特徴とする請求項１乃至３何れかに記載の段ボール箱。
【請求項５】
上記上端フラップの両側縁部に該上端フラップの端縁から左右対称位置に切り込みを入れ、該上端フラップの切り込みより外側に上記上外側角部を形成し、上記上端フラップの切り込みより内側に上中間片部を形成し、該上端フラップの上記端壁に対する上端連設線と上記上中間片部の端縁との間の距離を、上記上端連設線と上記上外側角部の端縁との間の距離より短く形成したことを特徴とする請求項１乃至４何れかに記載の段ボール箱。
【請求項６】
一対の端壁から夫々連設された一対の下端フラップ及び一対の側壁から夫々連設され互いの端縁が接合する一対の下側フラップを備えて構成し、上記下側フラップの両側端部に上記下端フラップの外側の下外側角部が該下側フラップの表面側から差し込まれて係合する差入孔を形成し、上記下端フラップの下外側角部を上記差入孔に差し込んで上記下端フラップの両側端部及び上記下側フラップの両側端部を重ねた状態で保持することを特徴とする請求項１乃至５何れかに記載の段ボール箱。
【請求項７】
上記下端フラップの両側縁部に該下端フラップの端縁から左右対称位置に切り込みを入れ、該下端フラップの切り込みより外側に上記下外側角部を形成し、上記下端フラップの切り込みより内側に下中間片部を形成し、該下端フラップの上記端壁に対する下端連設線と上記下中間片部の端縁との間の距離を、上記下端連設線と上記下外側角部の端縁との間の距離より短く形成したことを特徴とする請求項６記載の段ボール箱。
【請求項８】
上記一対の上端フラップ及び一対の上側フラップの少なくとも何れかの表面に防滑剤を塗布したことを特徴とする請求項１乃至７何れかに記載の段ボール箱。
【発明の詳細な説明】
【技術分野】
【０００１】
本発明は、レタス等の野菜を始め種々の品物を収納する段ボール箱に係り、特に、天面に開口を形成して内部の品物が見えるようにした段ボール箱に関する。
【背景技術】
【０００２】
従来、この種の段ボール箱としては、例えば、特許文献１（特開２００３−３１２６３９号公報）に記載されたものが知られている。
図９及び図１０に示すように、この従来の段ボール箱Ｂａは、一対の端壁１００から夫々連設された一対の上端フラップ１０１及び一対の側壁１１０から夫々連設された一対の上側フラップ１１１を有し、上側フラップ１１１の両側端部１１２に上端フラップ１０１の外側の上外側角部１０２が上側フラップ１１１の表面側から差し込まれて係合する差込孔１１３を形成し、上端フラップ１０１の上外側角部１０２を差込孔１１３に差し込んで上端フラップ１０１の両側端部１０３及び上側フラップ１１１の両側端部１１２を重ねた状態で、上端フラップ１０１の端縁１０４及び上側フラップ１１１の端縁１１４によって天面１２０に開口１２１を形成してなる。また、上端フラップ１０１には、段ボール箱Ｂａの内部に品物が収容された状態で段ボール箱Ｂａを持ち運ぶ際に把持する把持孔１０５が形成されている。
【０００３】
この段ボール箱Ｂａにおいて内部に品物を収納した状態で天面１２０を閉じる際は、上側フラップ１１１の差込孔１１３に上端フラップ１０１の上外側角部１０２を上側フラップ１１１の表面側から差し込んで上側フラップ１１１の両側端部１１２に上端フラップ１０１の両側端部１０３を夫々重ねる。これにより、上端フラップ１０１が上側フラップ１１１によって押えられ、上側フラップ１１１が上端フラップ１０１によって押えられ、天面１２０に開口１２１が形成されて、天面１２０が閉じられる。
そして、この従来の段ボール箱Ｂａの内部に品物を収容した状態で段ボール箱Ｂａを持ち運ぶときは、上端フラップ１０１に形成された把持孔１０５に手を挿入し、把持孔１０５を構成する壁部１０５ａを手で支承して段ボール箱を持ち上げることにより行なう。この場合、両方の把持孔１０５にそれぞれ手を挿入して両手で持ち、あるいは、一方の把持孔１０５のみに手を挿入して片手で持つようにする。ところで、この片手で持つやり方においては、把持孔１０５の幅が狭いので、持ちにくいことから、例えば、図１０に示すように、開口１２１に手を入れて上端フラップ１０１の端縁１０４を手で支承して持つことも行なっている。
【先行技術文献】
【特許文献】
【０００４】
【特許文献１】特開２００３−３１２６３９号公報
【発明の概要】
【発明が解決しようとする課題】
【０００５】
しかしながら、この従来の段ボール箱Ｂａにおいて、開口１２１に手を入れて上端フラップ１０１の端縁１０４を手で支承して持つ場合、上端フラップ１０１を手で支承することはできるが、上側フラップ１１１は手で支承できないので、差込孔１１３から上外側角部１０２が抜けて外れることがあるという問題があった。
また、開口１２１の幅には限界があり、手を挿入しにくいことがあるので、それだけ、段ボール箱Ｂａを持ちにくいという問題もある。
【０００６】
本発明は、このような問題点に鑑みてなされたもので、開口に手を入れて上端フラップの端縁を手で支承して持つ場合に、差込孔から上外側角部を外れにくくして持つことができるようにするとともに、手を容易に入れて支承しやすくした段ボール箱を提供することを目的とする。
【課題を解決するための手段】
【０００７】
このような目的を達成するため、本発明の段ボール箱は、一対の端壁から夫々連設された一対の上端フラップ及び一対の側壁から夫々連設された一対の上側フラップを有し、上記上側フラップの両側端部に上記上端フラップの外側の上外側角部が該上側フラップの表面側から差し込まれて係合する差込孔を形成し、上記上端フラップの上外側角部を上記差込孔に差し込んで上記上端フラップの両側端部及び上記上側フラップの両側端部を重ねた状態で、上記上端フラップの端縁及び上記上側フラップの端縁によって天面に開口を形成してなる段ボール箱において、上記少なくとも何れか一方の上側フラップに、該上側フラップの上記開口を構成する端縁から切欠き形成されるとともに、少なくとも一方の上端フラップの端縁に沿う切欠き面を有し、上記上端フラップの端縁を手で支承したとき手の一部が挿入可能な切欠き部を設けた構成としている。
【０００８】
これにより、本段ボール箱において内部に品物を収納した状態で天面を閉じる際は、上側フラップの差込孔に上端フラップの上外側角部を上側フラップの表面側から差し込んで上側フラップの両側端部に上端フラップの上外側角部を夫々重ねる。これにより、上端フラップが上側フラップによって押えられ、上側フラップが上端フラップによって押えられ、天面に開口が形成されて、天面が閉じられる。
【０００９】
そして、この段ボール箱の内部に品物を収容した状態で段ボール箱を持ち運ぶときは、例えば、開口に手を入れて上端フラップの端縁を手で支承して持つことも行なう。この際、切欠き部に手の一部を挿入して、上端フラップの端縁とともに切欠き部の切欠き面を手で支承するようにする。
【００１０】
この場合、開口を構成する上端フラップの端縁のみならず、切欠き部の切欠き面も手で把持可能なので、即ち、上端フラップの端縁と切欠き部の切欠き面とを手で同時に支承するので、段ボール箱を持った際に、差込孔から上外側角部が抜けて外れる事態を防止することができる。
また、切欠き面が上端フラップの端縁に沿って形成されているので、開口の幅を大きくすることができ、そのため、手を挿入して支承しやすくなるので、段ボール箱を持ちやすくすることができる。
【００１１】
そして、必要に応じ、上記切欠き部を、上記一対の上端フラップの端縁に夫々対応して設けた構成としている。
これにより、一対の上端フラップのどちら側を把持しても良いので、操作性を向上させることができる。
【００１２】
また、必要に応じ、上記切欠き部を、上記開口の対角位置に設けた構成としている。
これにより、一方の上側フラップだけではなく、両方の上側フラップに切欠き部が設けられることになるので、バランスが良くなり、そのため、上側フラップの強度の不均衡を抑止することができる。
【００１３】
更に、必要に応じ、上記差込孔の一部を構成するとともに上記上側フラップの上記側壁に対する上側連設線上に起立し上記上端フラップの上記上外側角部の外側縁に対峙する起立部を設けた構成としている。
【００１４】
これにより、上端フラップを差込孔に差し込むと、上端フラップの上外側角部の外側縁が起立部に対峙するようになるので、開口に手を入れて上端フラップの端縁を手で支承して持った際、上端フラップが、その端縁に沿う方向に移動しようとしても、上端フラップの上外側角部の外側縁が起立部に衝突して係止されるようになるので、上端フラップの端縁に沿う方向への移動を防止することができ、そのため、手で上端フラップを確実に支承することができる。また、上端フラップが移動しにくくなるので、段ボール箱の保持強度が損なわれることを防止することができる。
【００１５】
更にまた、必要に応じ、上記上端フラップの両側縁部に該上端フラップの端縁から左右対称位置に切り込みを入れ、該上端フラップの切り込みより外側に上記上外側角部を形成し、上記上端フラップの切り込みより内側に上中間片部を形成し、該上端フラップの上記端壁に対する上端連設線と上記上中間片部の端縁との間の距離を、上記上端連設線と上記上外側角部の端縁との間の距離より短く形成した構成としている。
【００１６】
これにより、上端フラップの上外側角部を差込孔に差し込んで上端フラップを差込孔に差し込むと、上中間片部は上側フラップに重なるようになるが、このとき、差込孔の周縁部が切り込みに入り込み、上中間片部は切り込みにより上外側角部とは別に移動して上側フラップに重なるようになる。この場合、上端フラップの上端連設線と上中間片部の端縁との間の距離を上端連設線と上外側角部の端縁との間の距離よりも短く形成しているので、上外側角部がある程度差込孔に差し込まれてから上中間片部が上側フラップに重なるようになるので、邪魔にならず、そのため、上端フラップを差込孔に差し込みやすくすることができる。
【００１７】
そして、また、必要に応じ、一対の端壁から夫々連設された一対の下端フラップ及び一対の側壁から夫々連設され互いの端縁が接合する一対の下側フラップを備えて構成し、上記下側フラップの両側端部に上記下端フラップの外側の下外側角部が該下側フラップの表面側から差し込まれて係合する差入孔を形成し、上記下端フラップの下外側角部を上記差入孔に差し込んで上記下端フラップの両側端部及び上記下側フラップの両側端部を重ねた状態で保持する構成としている。
【００１８】
これにより、段ボール箱を組み立てて段ボール箱の底壁を構築するときは、一対の下側フラップの互いの端縁を接合させ、下側フラップの差入孔に下端フラップの下外側角部を下側フラップの表面側から差し込んで下側フラップの両側端部に下端フラップの下外側角部を夫々重ねて保持する。これにより、下端フラップが下側フラップによって押えられ、下側フラップが下端フラップによって押えられるので、底壁の強度を向上させることができる。
【００１９】
また、必要に応じ、上記下端フラップの両側縁部に該下端フラップの端縁から左右対称位置に切り込みを入れ、該下端フラップの切り込みより外側に上記下外側角部を形成し、上記下端フラップの切り込みより内側に下中間片部を形成し、該下端フラップの上記端壁に対する下端連設線と上記下中間片部の端縁との間の距離を、上記下端連設線と上記下外側角部の端縁との間の距離より短く形成した構成としている。
【００２０】
これにより、下端フラップの下外側角部を差入孔に差し込んで下端フラップを差入孔に差し込むと、下中間片部は下側フラップに重なるようになるが、このとき、差入孔の周縁部が切り込みに入り込み、下中間片部は切り込みにより下外側角部とは別に移動して下側フラップに重なるようになる。この場合、下端フラップの下端連設線と下中間片部の端縁との間の距離を下端連設線と下外側角部の端縁との間の距離よりも短く形成しているので、下外側角部がある程度差入孔に差し込まれてから下中間片部が下側フラップに重なるようになるので、邪魔にならず、そのため、下端フラップを差入孔に差し込みやすくすることができる。
【００２１】
更に、必要に応じ、上記一対の上端フラップ及び一対の上側フラップの少なくとも何れかの表面に防滑剤を塗布した構成としている。
これにより、段ボール箱の天面に防滑剤が塗布されるので、段ボール箱を積み上げたときに、上側に位置する段ボール箱の底壁が下側に位置する段ボール箱の天面に対して滑らなくなり、そのため、段ボール箱の積み上げ時の安定性を向上させることができる。
【発明の効果】
【００２２】
本発明の段ボール箱によれば、上側フラップの差込孔に上端フラップの上外側角部を上側フラップの表面側から差し込んで上側フラップの両側端部に上端フラップの上外側角部を夫々重ねた状態で、内部に品物を収容して持ち運ぶときは、例えば、開口に手を入れて上端フラップの端縁を手で支承して持つことも行なう。この際、切欠き部に手の一部を挿入して、上端フラップの端縁とともに切欠き部の切欠き面を手で支承するようにする。この場合、開口を構成する上端フラップの端縁のみならず、切欠き部の切欠き面も手で把持可能なので、即ち、上端フラップの端縁と切欠き部の切欠き面とを手で同時に支承するので、段ボール箱を持った際に、差込孔から上外側角部が抜けて外れる事態を防止することができる。また、切欠き面が上端フラップの端縁に沿って形成されているので、開口の幅を大きくすることができ、そのため、手を挿入して支承しやすくなるので、段ボール箱を持ちやすくすることができる。
【図面の簡単な説明】
【００２３】
【図１】本発明の実施の形態に係る段ボール箱を示す斜視図である。
【図２】本発明の実施の形態に係る段ボール箱を示す展開図である。
【図３】本発明の実施の形態に係る段ボール箱を、その天面を閉じた状態で示す斜視図である。
【図４】本発明の実施の形態に係る段ボール箱を底壁側から見た斜視図である。
【図５】本発明の実施の形態に係る段ボール箱を、その底壁を構築した状態で底壁側から見た斜視図である。
【図６】本発明の実施の形態に係る段ボール箱の組み立て手順を示す斜視図である。
【図７】本発明の実施の形態に係る段ボール箱を手で持った状態で示す斜視図である。
【図８】本発明の実施の形態に係る段ボール箱を、開口に手を挿入して持つ際の要部拡大図である。
【図９】従来の段ボール箱の一例を示す斜視図である。
【図１０】従来の段ボール箱を、開口に手を入れて上端フラップの端縁を手で支承して持った状態で示す斜視図である。
【発明を実施するための形態】
【００２４】
以下、添付図面に基づいて本発明の実施の形態に係る段ボール箱を説明する。
図１乃至図８には、本発明の実施の形態に係る段ボール箱Ｂを示している。この段ボール箱Ｂは、一対の矩形状の端壁１から夫々連設された一対の上端フラップ１０及び一対の矩形状の側壁２０から夫々連設された一対の上側フラップ３０を有し、上側フラップ３０の両側端部３１に上端フラップ１０の外側の上外側角部１１が上側フラップ３０の表面側から差し込まれて係合する差込孔３２が形成され、上端フラップ１０の上外側角部１１を差込孔３２に差し込んで上端フラップ１０の両側端部１２及び上側フラップ３０の両側端部３１を重ねた状態で、上端フラップ１０の端縁１３及び上側フラップ３０の端縁３３によって天面４０に開口４１を形成するものである。一対の端壁１には、段ボール箱Ｂを両手で持つ際に、手が挿入される把手孔４が形成されている。
【００２５】
一対の上端フラップ１０は、矩形状に形成され、その両側縁部１２に上端フラップ１０の端縁１３から左右対称位置に切り込み１４が入れられており、この切り込み１４より外側に上外側角部１１が形成され、切り込み１４より内側に上中間片部１５が形成されている。また、上端フラップ１０の端壁１に対する上端連設線２と上中間片部１５の端縁１３との間の距離Ｌ１が、上端連設線２と上外側角部１１の端縁１３との間の距離Ｌ２より短く形成されている。更に、この上端フラップ１０の表面には、その上中間片部１５に、例えばニス等の防滑剤４２が塗布されている。
【００２６】
一対の上側フラップ３０は、矩形状に形成され、上側フラップ３０の開口４１を構成する端縁３３から切欠き形成されるとともに、上端フラップ１０の端縁３３に沿う切欠き面３４ａを有し、上端フラップ１０の端縁１３を手で支承したとき手の一部が挿入可能な切欠き部３４が設けられている。この切欠き部３４は、一対の上端フラップ１０の端縁１３に夫々対応して、開口４１の対角位置に一対設けられている。
【００２７】
この上側フラップ３０には差込孔３２が一対形成されている。この差込孔３２は、凸型に形成されており、上側フラップ３０に一端３２ａ以外が切り込まれて形成されている。また、差込孔３２の一端３２ａから上側フラップ３０の下側に向けて垂れて舌片３５が形成されている。この差込孔３２には、差込孔３２の一部を構成するとともに上側フラップ３０の側壁２０に対する上側連設線２１上に起立し上端フラップ１０の上外側角部１１の外側縁１１ａに対峙する起立部３６が設けられている。
また、この上側フラップ３０の表面には、一対の差込孔３２の間に、例えばニス等の防滑剤４２が塗布されている。
【００２８】
また、本段ボール箱Ｂは、一対の端壁１から夫々連設された一対の下端フラップ５０及び一対の側壁２０から夫々連設され互いの端縁６３が接合する一対の下側フラップ６０を備えて構成されている。この下側フラップ６０の両側端部６１に下端フラップ５０の外側の下外側角部５１が下側フラップ６０の表面側から差し込まれて係合する差入孔６２が形成され、下端フラップ５０の下外側角部５１を差入孔６２に差し込んで下端フラップ５０の両側端部５２及び下側フラップ６０の両側端部６１を重ねた状態で保持している。
【００２９】
一対の下端フラップ５０は、矩形状に形成され、その両側縁部５２に下端フラップ５０の端縁５３から左右対称位置に切り込み５４が入れられており、この切り込み５４より外側に下外側角部５１が形成され、切り込み５４より内側に下中間片部５５が形成されている。また、下端フラップ５０の端壁１に対する下端連設線３と下中間片部５５の端縁５３との間の距離Ｌ３が、下端連設線３と下外側角部５１の端縁５３との間の距離Ｌ４より短く形成されている。
【００３０】
一対の下側フラップ６０は、矩形状に形成され、差入孔６２が一対形成されている。この差入孔６２は、凸型に形成されており、下側フラップ６０に一端６２ａ以外が切り込まれて形成されている。また、差入孔６２の一端６２ａから垂れて舌片６４が形成されている。
【００３１】
本発明の実施の形態に係る段ボール箱Ｂを製造するときは、例えば、段ボール紙を一つの段ボール箱Ｂに必要な大きさに一枚ずつ裁断し、この裁断した段ボール紙の組み立て時に外側面を形成する表面に、例えば、青色や緑色等の色付きインクを用いて文字を印字し、その後、一対の上端フラップ１０及び一対の上側フラップ３０の印字部分以外の部分に、ニス等の防滑剤４２を塗布し、それから、上端フラップ１０に切り込み１４を入れて上中間片部１５の端縁１３側を切断するとともに上側フラップ３０に差込孔３２が形成されるように切り込みを入れ、下端フラップ５０に切り込み５４を入れて下中間片部５５の端縁５３側を切断するとともに下側フラップ６０に差入孔６２が形成されるように切り込みを入れ、端壁１に把手孔４が形成されるように端壁１を刳り貫き、この段ボール紙を折り畳むことにより行なう。
【００３２】
従って、本発明の実施の形態に係る段ボール箱Ｂにおいて、内部に品物を収納した状態で天面４０を閉じる際は、以下のようにして行なう。
先ず、底壁７０を構築して段ボール箱Ｂを組み立てる。組み立ては、図４及び図５に示すように、一対の下側フラップ６０の互いの端縁６３を接合させ、下側フラップ６０の差入孔６２に下端フラップ５０の下外側角部５１を下側フラップ６０の表面側から差し込んで下側フラップ６０の両側端部６１に下端フラップ５０の両側端部５２を夫々重ねて保持する。この場合、下端フラップ５０の下外側角部５１を差入孔６２に差し込んで下端フラップ５０を差入孔６２に差し込むと、下中間片部５５は下側フラップ６０に重なるようになるが、このとき、差入孔６２の周縁部が切り込み５４に入り込み、下中間片部５５は切り込み５４により下外側角部５１とは別に移動して下側フラップ６０に重なるようになる。この場合、下端フラップ５０の下端連設線３と下中間片部５５の端縁５３との間の距離Ｌ３を下端連設線３と下外側角部５１の端縁５３との間の距離Ｌ４よりも短く形成しているので、下外側角部５１がある程度差入孔６２に差し込まれてから下中間片部５５が下側フラップ６０に重なるようになるので、邪魔にならず、そのため、下端フラップ５０を差入孔６２に差し込みやすくすることができる。
これにより、下端フラップ５０が下側フラップ６０によって押えられ、下側フラップ６０が下端フラップ５０によって押えられるので、底壁７０の強度を向上させることができる。
【００３３】
そして、内部に品物を収納し、天面４０を閉じる。詳しくは、図６に示すように、上側フラップ３０の差込孔３２に上端フラップ１０の上外側角部１１を上側フラップ３０の表面側から差し込んで上側フラップ３０の両側端部３１に上端フラップ１０の両側端部１２を夫々重ねる。この場合、上端フラップ１０の上外側角部１１を差込孔３２に差し込んで上端フラップ１０を差込孔３２に差し込むと、上中間片部１５は上側フラップ３０に重なるようになるが、このとき、差込孔３２の周縁部が切り込み１４に入り込み、上中間片部１５は切り込み１４により上外側角部１１とは別に移動して上側フラップ３０に重なるようになる。この場合、上端フラップ１０の上端連設線２と上中間片部１５の端縁１３との間の距離Ｌ１を上端連設線２と上外側角部１１の端縁１３との間の距離Ｌ２よりも短く形成しているので、上外側角部１１がある程度差込孔３２に差し込まれてから上中間片部１５が上側フラップ３０に重なるようになるので、邪魔にならず、そのため、上端フラップ１０を差込孔３２に差し込みやすくすることができる。
これにより、上端フラップ１０が上側フラップ３０によって押えられ、上側フラップ３０が上端フラップ１０によって押えられ、天面４０に開口４１が形成されて、天面４０が閉じられる。
【００３４】
そして、この段ボール箱Ｂの内部に品物を収容した状態で段ボール箱Ｂを持ち運ぶときは、例えば、一対の端壁１に形成された把手孔４にそれぞれ手を挿入して両手で段ボール箱Ｂを持つ、あるいは、例えば、図７に示すように、開口４１に手を入れて上端フラップ１０の端縁１３を片手で支承して持つことも行なう。この片手で持つ際は、切欠き部３４に手の一部を挿入して、上端フラップ１０の端縁１３とともに切欠き部３４の切欠き面３４ａを手で支承するようにする。
【００３５】
この場合、開口４１を構成する上端フラップ１０の端縁１３のみならず、切欠き部３４の切欠き面３４ａも手で把持可能なので、即ち、上端フラップ１０の端縁１３と切欠き部３４の切欠き面３４ａとを手で同時に支承するので、段ボール箱Ｂを持った際に、差込孔３２から上外側角部１１が抜けて外れる事態を防止することができる。
【００３６】
また、切欠き面３４ａが上端フラップ１０の端縁１３に沿って形成されているので、開口４１の幅を大きくすることができ、そのため、手を挿入して上端フラップ１０の端縁１３及び切欠き部３４の切欠き面３４ａを支承しやすくなるので、段ボール箱Ｂを持ちやすくすることができる。
【００３７】
更に、上端フラップ１０を差込孔３２に差し込むと、図８に示すように、上端フラップ１０の上外側角部１１の外側縁１１ａが起立部３６に対峙するようになるので、開口４１に手を入れて上端フラップ１０の端縁１３を手で支承して持った際、上端フラップ１０が、その端縁１３に沿う方向に移動しようとしても、上端フラップ１０の上外側角部１１の外側縁１１ａが起立部３６に衝突して係止されるようになるので、上端フラップ１０の端縁１３に沿う方向への移動を防止することができ、そのため、手で上端フラップ１０を確実に支承することができる。また、上端フラップ１０が移動しにくくなるので、段ボール箱Ｂの保持強度が損なわれることを防止することができる。
【００３８】
更にまた、切欠き部３４が一対の上端フラップ１０の端縁１３に夫々対応して設けられているので、一対の上端フラップ１０のどちら側でも把持することができるようになり、そのため、操作性を向上させることができる。また、切欠き部３４が開口４１の対角位置に設けられているので、一方の上側フラップ３０だけでなく、両方の上側フラップ３０に切欠き部３４が設けられることになり、そのため、バランスが良くなり、それだけ、上側フラップ３０の強度の不均衡を抑止することができる。
【００３９】
そして、この段ボール箱Ｂは、例えば倉庫等において、積み重ねられて保管される。このとき、段ボール箱Ｂの天面４０に防滑剤４２が塗布されているので、段ボール箱Ｂを積み上げた際に、上側に位置する段ボール箱Ｂの底壁７０が下側に位置する段ボール箱Ｂの天面４０に対して滑らなくなり、そのため、段ボール箱Ｂの積み上げ時の安定性を向上させることができる。
【００４０】
尚、上記実施の形態において、段ボール箱Ｂを上記の手順で製造したが、必ずしもこれに限定されるものではない。
尚また、上記実施の形態において、防滑剤４２を上端フラップ１０と上側フラップ３０との表面に塗布したが、必ずしもこれに限定されるものではなく、下端フラップ５０及び下側フラップ６０の表面にも塗布して良く、適宜変更して差し支えない。この場合、天面４０と底壁７０とに防滑剤４２が塗布されるようになるので、段ボール箱Ｂを積み重ねた際に、上側に位置する段ボール箱Ｂの底壁７０が下側に位置する段ボール箱Ｂの天面４０に対してより一層滑らなくなり、そのため、段ボール箱Ｂの積み上げ時の安定性をより一層向上させることができる。また、防滑剤４２を下端フラップ５０及び下側フラップ６０の表面のみに塗布しても良い。
【符号の説明】
【００４１】
Ｂ  段ボール箱
１  端壁
２  上端連設線
３  下端連設線
４  把手孔
１０  上端フラップ
１１  上外側角部
１２  側端部
１３  端縁
１４  切り込み
１５  上中間片部
２０  側壁
２１  上側連設線
３０  上側フラップ
３１  側端部
３２  差込孔
３３  端縁
３４  切欠き部
３４ａ  切欠き面
３５  舌片
３６  起立部
４０  天面
４１  開口
４２  防滑剤
５０  下端フラップ
５１  下外側角部
５２  側端部
５３  端縁
５４  切り込み
５５  下中間片部
６０  下側フラップ
６１  側端部
６２  差入孔
６３  端縁
６４  舌片
７０  底壁
【図１】
0005661362.tif 000002
【図２】
0005661362.tif 000003
【図３】
0005661362.tif 000004
【図４】
0005661362.tif 000005
【図５】
0005661362.tif 000006
【図６】
0005661362.tif 000007
【図７】
0005661362.tif 000008
【図８】
0005661362.tif 000009
【図９】
0005661362.tif 000010
【図１０】
0005661362.tif 000011